(57)【特許請求の範囲】
【請求項１】
記録媒体に入力される画像データを記録可能な画像処理装置であって、
前記画像データを記録する前に、画像データの印刷条件を示す印刷指定フォーマットを設定する設定手段と、
前記設定手段により印刷指定フォーマットを設定後、入力される画像データを前記記録媒体に追加記録させる画像追加制御手段と、
前記画像データの入力に応じて、前記設定手段で設定された印刷指定フォーマットの印刷条件を前記画像追加制御手段で追加記録の対象となる画像データに対して、追加設定する追加設定手段と、
を有することを特徴とする画像処理装置。
【請求項２】
前記印刷指定フォーマットは、ＤＰＯＦファイルであることを特徴とする請求項１記載の画像処理装置。
【請求項３】
前記印刷指定フォーマットは、既存のものから選ばれるか、或いは新規作成されるかを選択可能とすることを特徴とする請求項１記載の画像処理装置。
【請求項４】
前記画像追加制御手段は、追加対象となる画像データに対して、選択された異なるカテゴリに属する複数の印刷指定フォーマットの印刷条件を設定可能とすることを特徴とする請求項１記載の画像処理装置。
【請求項５】
前記画像追加制御手段は、前記各カテゴリに属するものをそれぞれ選択された場合に、印刷指定フォーマットが設定されている各ファイルに対して自動的に画像を追加することを特徴とする請求項４記載の画像処理装置。
【請求項６】
前記印刷指定フォーマットは、ＤＰＯＦファイル中のジョブ単位に選択可能とすることを特徴とする請求項１記載の画像処理装置。
【請求項７】
記録媒体に入力される画像データを記録可能な画像処理装置の制御方法であって、
前記画像データを記録する前に、所定の印刷条件に従い印刷指定フォーマットを設定する設定ステップと、
前記設定ステップにより印刷指定フォーマットを設定後、入力される画像データを前記記録媒体に追加記録させる画像追加制御ステップと、
前記画像データの入力に応じて、前記設定ステップで設定された印刷指定フォーマットの印刷条件を前記画像追加制御ステップで追加記録の対象となる画像データに対して、追加設定する追加設定ステップと、
を有することを特徴とする画像処理装置の制御方法。
【請求項８】
前記印刷指定フォーマットは、ＤＰＯＦファイルであることを特徴とする請求項１記載の画像処理装置の制御方法。
【請求項９】
前記印刷指定フォーマットは、既存のものから選ばれるか、或いは新規作成されるかを選択可能とすることを特徴とする請求項１記載の画像処理装置。
【請求項１０】
前記画像追加制御ステップは、追加対象となる画像データに対して、選択された異なるカテゴリに属する複数の印刷指定フォーマットの印刷条件を設定可能とすることを特徴とする請求項７記載の画像処理装置の制御方法。
【請求項１１】
前記画像追加制御ステップは、前記各カテゴリに属するものをそれぞれ選択された場合に、印刷指定フォーマットが設定されている各ファイルに対して自動的に画像を追加することを特徴とする請求項１０記載の画像処理装置の制御方法。
【請求項１２】
前記印刷指定フォーマットは、ＤＰＯＦファイル中のジョブ単位に選択可能とすることを特徴とする請求項７記載の画像処理装置の制御方法。
【請求項１３】
請求項７〜１２のいずれかに記載の画像処理装置の制御方法をコンピュータに実行させるためのプログラムを格納したことを特徴とするコンピュータが読み取り可能な記憶媒体。
【発明の詳細な説明】
【０００１】
【発明の属する技術分野】
本発明、記録媒体に印刷指定フォーマットに基づき、撮影される画像データを記録または読み出し可能な画像処理装置の制御に関するものである。
【０００２】
【従来の技術】
通常、デジタルカメラなどの画像入力装置では、撮影した画像を自動印刷する手続きを記述するためのＤｉｇｉｔａｌ  Ｐｒｉｎｔ  Ｏｒｄｅｒ  Ｆｉｌｅ  Ｆｏｒｍａｔ（ＤＰＯＦ）と呼ばれる規格に対応している。自動印刷の指定は画像の撮影をした後、入力装置側でこの規格に基づき、自動印刷する画像と対応した印刷属性（枚数、レイアウト等）を記述したファイル（以下、ＤＰＯＦファイルと呼ぶ。）を作成し、画像が記録された媒体（コンパクトフラッシュ、スマートメデイア等）上に記録する。印刷時にＤＰＯＦ対応した出力装置がこのＤＰＯＦファイルを読み込む事で、指定した通りに画像が自動印刷される仕組みである。
【０００３】
【発明が解決しようとする課題】
しかしながら上記従来例では、画像を全て撮影（又は入力）し終った後でしかＤＰＯＦファイルを作成する事が出来なかった。
【０００４】
その為、撮影前に既にＤＰＯＦ指定する事が明らかである場合においてさえも、ユーザは、ＤＰＯＦファイルを作成するために記録された全ての画像を検査し、対象画像を選択し、更に選択した画像毎に対応した印刷属性を指定しなければならず、限られたユーザインタフェース上では非常に煩雑な作業となっており、この煩雑な作業からユーザを解放することができないとともに、ＤＰＯＦファイルを作成操作が煩雑化して、速やかに印刷処理することができず、ユーザの利便性が損なわれてしまう等の問題点が指摘されていた。
【０００５】
本発明は、上記の課題を解決するためになされたもので、本発明の目的は、記録媒体に対して追加記録の対象となる画像データを追加記録する場合に、記録媒体に設定された印刷指定フォーマットの印刷条件を追加記録される画像データに対して追加設定できる仕組みを提供することである。
【０００６】
本発明に係る画像処理装置は、以下の特徴的構成を備える。
記録媒体に入力される画像データを記録可能な画像処理装置であって、前記画像データを記録する前に、画像データの印刷条件を示す印刷指定フォーマットを設定する設定手段と、前記設定手段により印刷指定フォーマットを設定後、入力される画像データを前記記録媒体に追加記録させる画像追加制御手段と、前記画像データの入力に応じて、前記画像追加制御手段で追加記録の対象となる画像データに対して、前記設定手段で設定された印刷指定フォーマットの印刷条件を追加設定する追加設定手段と、を有することを特徴とする。
【０００７】
本発明に係る画像処理装置の制御方法は、以下の特徴的構成を備える。
記録媒体に入力される画像データを記録可能な画像処理装置の制御方法であって、前記画像データを記録する前に、前記画像データを記録する前に、画像データの印刷条件を示す印刷指定フォーマットを設定する設定ステップと、前記設定ステップにより印刷指定フォーマットを設定後、入力される画像データを前記記録媒体に追加記録させる画像追加制御ステップと、前記画像データの入力に応じて、前記設定ステップで設定された印刷指定フォーマットの印刷条件を前記画像追加制御ステップで追加記録の対象となる画像データに対して、追加設定する追加設定ステップとを有することを特徴とする。
【００２１】
【発明の実施の形態】
図１は、本発明の一実施形態を示す画像処理装置の構成を示すブロック図である。
【００２２】
図１において、１００は画像処理装置である。１０は撮影レンズ、１２は絞り機能を備えるシャッタ、１４は光学像を電気信号に変換する撮像素子、１６は前記撮像素子１４のアナログ信号出力をデジタル信号に変換するＡ／Ｄ変換器である。
【００２３】
１８はタイミング発生回路で、撮像素子１４、Ａ／Ｄ変換器１６、Ｄ／Ａ変換器２６にクロック信号や制御信号を供給する。なおタイミング発生回路１８は、メモリ制御回路２２及びシステム制御回路５０により制御される。
【００２４】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御回路４０、測距制御回路４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２５】
更に、画像処理回路２０においては、撮像した画像データを用いて所定の演算処理を行い、得られた演算結果に基づいてＴＴＬ方式のＡＷＢ（オートホワイトバランス）処理も行っている。
【００２６】
２２はメモリ制御回路であり、Ａ／Ｄ変換器１６、タイミング発生回路１８、画像処理回路２０、画像表示メモリ２４、Ｄ／Ａ変換器２６  メモリ３０、圧縮伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２８】
画像表示部２８を用いて撮像した画像データを逐次表示すれば、電子ファインダ機能を実現することが可能である。
【００２９】
また、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００３０】
更に、画像表示部２８は、回転可能なヒンジ部によって画像処理装置１００本体と結合されており、自由な向き、角度を設定して電子ファインダ機能や再生表示機能、各種表示機能を使用することが可能である。
【００３１】
また、画像表示部２８の表示部分を画像処理装置１００に向けて格納することが可能であり、この場合は画像表示部開閉検知回路１０６により、格納状態を検知して画像表示部２８の表示動作を停止することができる。
【００３２】
３０は撮影した静止画像や動画像を格納するためのメモリであり、所定枚数の静止画像や所定時間の動画像を格納するのに十分な記憶量を備えている。
【００３３】
これにより、複数枚の静止画像を連続して撮影する連写撮影やパノラマ撮影の場合にも、高速かつ大量の画像書き込みをメモリ３０に対して行うことが可能となる。
【００３４】
また、メモリ３０はシステム制御回路５０の作業領域としても使用することが可能である。
【００３５】
３２は適応離散コサイン変換（ＡＤＣＴ）等により画像データを圧縮仲長する圧縮伸長回路であり、メモリ３０に格納された画像を読み込んで圧縮処理或いは伸長処理を行い、処理を終えたデータをメモリ３０に書き込む。
【００３６】
なお、露光制御回路４０は絞り機能を備えるシャッタッシュ４８と連携することによりフラッシュ４８と連携することによりフラッシュ調光機能も有するものである。４２は、撮影レンズ１０のフォーカシングを制御する測距制御手段である。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３７】
４４は、撮影レンズ１０のズーミングを制御するズーム制御手段、４６はバリアである保護手段１０２の動作を制御するバリア制御回路である。
【００３８】
４８はコネクタであり、アクセサリーシューとも呼ばれ、フラッシュ装置１７４との電気接点や機械的な固定手段も合わせて備えている。５０は、画像処理装置１００全体を制御するシステム制御回路、５２は、システム制御回路５０の動作用の定数、変数、プログラム等を記憶するメモリである。
【００３９】
５４は、システム制御回路５０でのプログラムの実行に応じて、文字、画像、音声等を用いて動作状態やメッセージ等を表示する液晶表示装置、スピーカ等の表示部であり、画像処理装置１００の操作部近辺の視認し易い位置に単数或いは複数個所設置され、例えばＬＣＤやＬＥＤ、発音素子等の組み合わせにより構成されている。
【００４０】
また、表示部５４は、その一部の機能が光学ファインダ１０４内に設置されている。表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体１５０、１６０の着脱状態表示、通信Ｉ／Ｆ動作表示、日付・時刻表示、記録された画像データの表示、印刷時に画像データに合わせて合成すべきフォトフレームデータの表示等がある。
【００４１】
また、表示部５４の表示内容のうち、光学ファインダ１０４内に表示するものとしては、合焦表示、手振れ警告表示、フラッシュ充電表示、シャッタスピード表示、絞り値表示、露出補正表示等がある。
【００４２】
５６は電気的に消去・記録可能な不揮発性メモリであり、例えばＥＥＰＲＯＭ等が用いられる。６０，６２，６４，６６，６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４３】
ここで、これらの操作手段の具体的な説明を行う。
【００４４】
６０はモードダイアルスイッチで、電源オフ、自動撮影モード、撮影モード、バノラマ撮影モード、再生モード、マルチ画面再生・消去モード、ＰＣ接続モード等の各機能モードを切り替え設定することができる。
【００４５】
６２はシャッタスイッチ（ＳＷｌ）で、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４６】
６４はシャッタスイッチ（ＳＷ２）で、不図示のシャッタボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮伸長回路３２で圧縮を行い、記録媒体１５０或いは記録媒体１６０に画像データを書き込む記録処理という一連の処理の動作開始を指示する。
【００４７】
６６は画像表示ＯＮ／ＯＦＦスイッチで、画像表示部２８のＯＮ／ＯＦＦを設定することができる。この機能により、光学ファインダ１０４を用いて撮影を行う際に、ＴＦＴ  ＬＣＤ等から成る画像表示部２８への電流供給を遮断することにより、省電力を図ることが可能となる。
【００４８】
６８は単写／連写スイッチで、シャッタスイッチ（ＳＷ２）６４を押した場合に１駒の撮影を行って待機状態とする単写モードとシャッタスイッチ（ＳＷ２）６４を押している間は連続して撮影を行い続ける連写モードとを設定することができる。
【００４９】
７０は各種ボタンやタッチパネル等から成る操作部で、メニューボタン、セットボタン、マクロボタン、マルチ画面再生改ページボタン、フラッシュ設定ボタン、単写／連写／セルフタイマ切り替えボタン、メニュー移動＋（プラス）ポタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、音声記録を開始するボタン、パノラマモード等の撮影及び再生を実行する際に各種機能の決定及び実行を設定する決定／実行ボタン、画像表示部２８のＯＮ／ＯＦＦを設定する画像表示０Ｎ／ＯＦＦスイッチ、撮影直後に撮影した画像データを自動再生するクイックレビュー機能を設定するクイジクレビューＯＮ／ＯＦＦスイッチ、ＪＰＥＣ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生モードスイッチ、撮影モード状態において、撮影した画像をメモリ３０或いは記録媒体１５０或いは記録媒体１６０から読み出して画像表示部２８によって表示する再生動作の開始を指示する再生スイッチ、アクティブなドライブを変更するためのドライブボタン、再生時に１枚表示と複数枚表示とを切り替える再生表示切り替えボタン、記録画像の付帯情報を表示するための情報表示ボタン等がある。
【００５０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５１】
８２，８４はコネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００５２】
９０及び９４はメモリカードやハードディスク等の記録媒体とのインタフェース（Ｉ／Ｆ）、９２及び９６はメモリカードやハードディスク等の記録媒体と接続を行うコネクタ、９８は前記コネクタ９２，１１２及び或いはコネクタ９６，１１２に記録媒体１５０或いは記録媒体１６０が装着されているか否かを検知する記録媒体着脱検知手段である。
【００５３】
なお、本実施形態では記録媒体を取り付けるインタフェース及びコネクタを２系統持つものとして説明している。もちろん、記録媒体を取り付けるインタフェース及びコネクタは、単数或いは複数、何れの系統数を備える構成としても構わない。また、異なる規格のインタフェース及びコネクタを組み合わせて備える構成としても構わない。
【００５４】
インタフェース及びコネクタとしては、ＰＣＭＣＩＡカードやＣＦ（コンパクトフラッシュ）カード等の規格に準拠したものを用いて構成して構わない。
【００５５】
更に、インタフェース９０及びインタフェース９４、そしてコネクタ９２及びコネクタ９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００５６】
１０２は、画像処理装置１００のレンズ１０を含む撮像部を覆うことにより、撮像部の汚れや破損を防止するバリアである保護手段である。
【００５７】
１０４は光学ファインダであり、画像表示部２８による電子ファインダ機能を使用すること無しに、光学ファィンダのみを用いて撮影を行うことが可能である。また、光学ファインダ１０４内には、表示部５４の一部の機能、例えば（合焦表示、手振れ警告表示、フラッシュ充電表示、シャッタスピード表示、絞り値表示、露出補正表示などが設置されている。
【００５８】
１０６は画像表示部開閉検知手段であり、画像表示部２８が、画像表示部２８の表示部分を画像処理装置１００に向けて格納した格納状態にあるかどうかを検知することができる。
【００５９】
ここで、格納状態にあると検知したならば画像表示部２８の表示動作を停止して不要な電力消費を禁止することが可能である。
【００６０】
１１０は通信手段で、ＲＳ２３２−ＣやＵＳＢ、ＩＥＥＥ１３９４、Ｐ１２８４、ＳＣＳＩ、モデム、ＬＡＮ、無線通信、等の各種通信機能を有する。
【００６１】
１１２は前記通信手段１１０により画像処理装置１００を他の機器と接続するコネクタ或いは無線通信の場合はアンテナである。
【００６２】
１５０はメモリカードやハードディスク等の記録媒体であり、記録媒体１５０は、半導体メモリや磁気ディスク等から構成される記録媒体１６０、画像処理装置１００とのインタフェース１５４、画像処理装置１００と接続を行うコネクタ１１２を備えている。１６０はメモリカードやハードディスク等の記録媒体である。
【００６３】
記録媒体１６０は、半導体メモリや磁気ディスク等から構成される記憶部１６２、画像処理装置１００とのインタフェース１６４、画像処理装置１００と接続を行うコネクタ１１２を備えている。１７４はフラッシュ装置である。１７２は、画像処理装置１００のアクセサリシューと接続するためのコネクタである。なお、フラッンュ１７４は、ＡＦ補助光の投光機能、フラッシュ調光機能も有する。
【００６４】
図２は、本発明に係る画像処理装置における第１のデータ処理手順の一例を示すフローチャートである。なお、Ｓ１０１〜Ｓ１０９は各ステップを示す。
【００６５】
まず、ステップＳ１０１でＤＰＯＦファイルの自動作成モード（撮影画像のＤＰＯＦファイルヘの自動追加モード）を選択するかどうかをシステム制御部５０が操作部７０からの指示内容に基づき判定し、ユーザがＮＯを選んだ場合は、このフローから抜け、通常の撮影モードに設定される。
【００６６】
一方、ＹＥＳが選択された場合、ステップＳ１０２で既存のＤＰＯＦファイルがメディア上に存在するかどうかが検索される。もし、既存のファイルがなかったと判定した場合は、ステップＳ１０６へ分岐し、新規のＤＰＯＦファイルを作成する。なお、新規ＤＰＯＦファイルの作成手順の一例については、後述する図４を参照して説明する。
【００６７】
一方、ステップＳ１０２で既存のＤＰＯＦファイルが少なくとも一つ見つかった場合は、ステップＳ１０３で、ＤＰＯＦファイルの新規作成を選択しているかどうかを判定して、ユーザの操作部７０からの操作指示により、ＹＥＳが選択された時は、ステップＳ１０６において上に述べた手続きを経てＤＰＯＦファイルが新規作成される。
【００６８】
一方、ステップＳ１０３でＮＯが選択された場合は、既存のＤＰＯＦファイルヘ画像を追加するモードが選択され、ステップＳ１０４で追加対象のＤＰＯＦファイルが選ばれる。なお、当該処理については、後述する図３において詳述する。
【００６９】
そして、ステップＳ１０４或いはステップＳ１０９において対象となるＤＰＯＦファイル中のＪＯＢセクションが確定されると、ステップＳ１０５では、図示しないシャッタボタン等を操作して、ユーザが着目している被写体を撮影、すなわち、実際の画像撮影が行われる。
【００７０】
そして、ステップＳ１０７では、撮影された画像がＤＰＯＦファイル中のＪＯＢセクションに追加される。
【００７１】
最後にステップＳ１０８では、画像の追加を終了するかどうかを判断し、ＹＥＳの場合は処理を抜け、ＮＯの場合は、ステップＳ１０５に戻って画像の撮影と追加処理を繰り返す。
【００７２】
なお、ステップＳ１０４からの戻り値は、ステップＳ１０９で判断される。もし有効なＪＯＢ選択がなされていない場合は、ステップＳ１０９からステップＳ１０６へ分岐して前述したＤＰＯＦファイルの新規作成が行われる。
【００７３】
ここで、もし、異なるカテゴリに属する複数のＤＰＯＦファイル、例えば印刷指定用、ファイル転送用、スライドショー用等が存在した場合は、それぞれのカテゴリ毎に一つずつのファイルを選択できる様な構成にする事も可能である。
【００７４】
つまり、印刷用の設定、スライドジョー用の設定、ｅ−ｍａｉｌ等による転送用の設定など、複数のカテゴリの設定が、画像が撮影されるたびに、自動的に画像に設定されるようにしても良い。
【００７５】
この場合は、今後撮影した画像が、各々のカテゴリ毎に選択された全てのＤＰＯＦファイルに追加設定されることになる。
【００７６】
図３は、本発明に係る画像処理装置における第２のデータ処理手順の一例を示すフローチャートであり、図２に示したステップＳ１０４で追加対象のＤＰＯＦファイルが選ばれる処理手順に対応する。なお、Ｓ４０１〜Ｓ４０８は各ステップを示す。
【００７７】
まず、ステップＳ４０１では見つかった全てのＤＰＯＦファイルの全てのＪＯＢセクションを走査しユニークなＪＯＢセクション全てを把握する。本実施形態において、ユニークなセクションとは、ＤＰＯＦ規格に準じた設定項目（プリント種別、プリント枚数、紙種・サイズ、画像の回転、画像のトリミング）の組み合わせが相異なる一つ又は複数のセクションの事を指す。
【００７８】
次に、ステップＳ４０２からステップＳ４０６のループでは、存在するユニークなＪＯＢセクションの情報が順番に表示され、ユーザーは好みのセクションを選択（例えばジョブ単位に選択）する機会を与えられる。
【００７９】
もし、ステップＳ４０４で、あるＪＯＢが選択された時は、ステップＳ４０５の分岐を経て、ステップＳ４０７から選択されたＪＯＢが通知され、この処理を終了する。
【００８０】
一方、ステップＳ４０５で、全てのＪＯＢが選択されなかった場合は、ステップＳ４０８から選択されたＪＯＢがない事を通知し、処理を終了する。
【００８１】
なお、ステップＳ４０２からステップＳ４０６のループにおける一連の処理は、システム制御回路５０の制御のもとに、表示部５４に表示された情報から、ユーザが操作部７０を介して行う動作を解析して進められる。
【００８２】
図４は、本発明に係る画像処理装置における第３のデータ処理手順の一例を示すフローチャートであり、新規ＤＰＯＦファイルの作成手順に対応する。なお、Ｓ５０１〜Ｓ５０４は各ステップを示す。
【００８３】
まず、ステップＳ５０１でプリント種別を設定する。この設定はプリント種別としてＳＴＡＮＤＡＲＤ  ＰＲＩＮＴかＩＮＤＥＸ  ＰＲＩＮＴのどちらかを選択する事により行われる。
【００８４】
次に、ステップＳ５０２ではプリント枚数を設定する。次に、ステップＳ５０３ではプリントする紙のサイズとその種類を設定する。最後に、ステップＳ５０４では画像の回転、トリミングなどに対する設定を行う。
【００８５】
以上で新規のＤＰＯＦファイルが作成され、そのファイル中には上記で設定したパラメータに従い、一つのＪＯＢセクションが形成される。ステップＳ５０１からステップＳ５０４の一連の処理は、システム制御部５０の制御のもとに、表示部５４に表示された情報から、ユーザが操作部７０を介して行う動作を解析して進められる。
【００８６】
なお、本実施形態において掲げた設定項目はＤＰＯＦ規格に準じた一例であり、項目の選択は任意である。
【００８７】
上記実施形態によれば、ＤＰＯＦファイルの自動作成手段を用いる事で画像のＤＰＯＦファイルへの自動追加が可能となる。従って、ユーザは、一度だけ印刷属性を指定（或いは選択）するのみでＤＰＯＦファイルの作成を行うことが出来、効率的な撮影が可能となる効果がある。
【００８８】
以下、図５に示すメモリマップを参照して本発明に係る画像処理装置を適用可能な画像処理システムで読み出し可能なデータ処理プログラムの構成について説明する。
【００８９】
図５は、本発明に係る画像処理装置を適用可能な画像処理システムで読み出し可能な各種データ処理プログラムを格納する記憶媒体のメモリマップを説明する図である。
【００９０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００９２】
本実施形態における図２〜図４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００９４】
この場合、記憶媒体から読み出されたプログラムコード自体が本発明の新規な機能を実現することになり、そのプログラムコードを記憶した記憶媒体は本発明を構成することになる。
【００９５】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００９６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９８】
【発明の効果】
以上説明したように、本発明によれば、記録媒体に対して追加記録の対象となる画像データを追加記録する場合に、記録媒体に設定された印刷指定フォーマットの印刷条件を追加記録される画像データに対して追加設定できる。
【００９９】
また、ＤＰＯＦファイルの作成機能として、上記自動作成モードを使うのか、或いは従来例で示した様な後作成モードを使うのかを選択するので、ＤＰＯＦ対象を特定せずに撮影だけ行い、後で選択する自由度を残すことができる操作性と利便性に優れたファイル管理を行うことができる等の優れた効果を奏する。
【図面の簡単な説明】
【図１】本発明の一実施形態を示す画像処理装置の構成を示すブロック図である。
【図２】本発明に係る画像処理装置における第１のデータ処理手順の一例を示すフローチャートである。
【図３】本発明に係る画像処理装置における第２のデータ処理手順の一例を示すフローチャートである。
【図４】本発明に係る画像処理装置における第３のデータ処理手順の一例を示すフローチャートである。
【図５】本発明に係る画像処理装置を適用可能な画像処理システムで読み出し可能な各種データ処理プログラムを格納する記憶媒体のメモリマップを説明する図である。
【符号の説明】
５０  システム制御部
５４  表示部
７０  操作部
１５０  記録媒体
【図１】
0003805179.tif 000002
【図２】
0003805179.tif 000003
【図３】
0003805179.tif 000004
【図４】
0003805179.tif 000005
【図５】
0003805179.tif 000006